(57)【要約】【課題】座位姿勢の患者を移乗装置に載せる時、患者の胸部から腹部にかけて確実に当接し、抱きかかえると同時に、操作荷重を軽くする。【解決手段】上記課題を解決するために、操作ハンドル１を押し下げる操作により、患者の胸部から腹部を受けて抱きかかえるパッド２を、操作者側へ引き寄せると同時に、前記パッド２の装着されている支柱３自体をも操作者側に、支柱支点ピン５を中心に回動させて近づける構造としている。  また、支柱支え６に膝受けガイド２５を前後方向にスライド可能に設置し、その患者側に膝受け２４を膝受け支点ピン２６で若干の回動を許容して、左右一対装着し、患者の膝から下の部分をおおむね下方から支える構造としている。【選択図】      図１
2010104678.tif 000002
【特許請求の範囲】
【請求項１】
ハンドルを押し下げる操作により、患者の胸部から腹部を受けて抱きかかえるパッドを、操作者側へ引き寄せると同時に、前記パッドの装着されている支柱自体をも操作者側に、下部支点を中心に回動させて近づける構造の移乗装置。
【請求項２】
患者の膝から下の部分を下方から支える構造を持つ請求項１に記載の移乗装置。
【発明の詳細な説明】
【技術分野】
【０００１】
本発明は、たとえばベッドから車椅子へ、あるいはベッドからトイレへ、またその逆方向へ、患者を移乗させる移動式の移乗装置に関する。
【背景技術】
【０００２】
発明者は本発明に先立ち、特許文献１にあるように、平成１９年に特願２００７−１５２１０７にて移乗装置の特許出願を行った。この移乗装置はハンドルを押し下げる操作により、患者の胸部から腹部を受けて抱きかかえるパッドを、操作者側へ引き寄せると同時に、患者の膝から下の部分を患者側へ押し込む操作を行うことを特徴としている。
【０００３】
【特許文献１】特願２００７−１５２１０７
【発明の開示】
【発明が解決しようとする課題】
【０００４】
座位姿勢の患者を移乗装置に載せる時、患者の胸部から腹部にかけて確実に当接し、抱きかかえると同時に、操作荷重を軽くすることが要求される。
【０００５】
従来技術として特願２００７−１５２１０７の構造では、操作者がハンドルを押し下げる操作により、患者の胸部から腹部を受けて抱きかかえるパッドを、操作者側へ引き寄せるのであるが、初期状態で患者にパッドを当接するときは、ハンドルを引き上げることにより行う。パッドはハンドルとリンクで連結されており、ハンドルの動きとこのリンクの動きの範囲でのみ、移動する。実際にはこの動き以上のパッドの移動量が要求されている。
【０００６】
また、従来技術として特願２００７−１５２１０７の構造では、患者の胸部から腹部を受けて抱きかかえた後、ハンドルを押し下げると、患者の膝から下の部分を患者側へ押し込む操作を行う。膝を患者側へ押し込むので患者の腰が浮きやすくなり、操作荷重が軽くなるのであるが、それでもなお、膝を押し込む抵抗が操作荷重を大きくする要因となっている。
【０００７】
そこで、本発明の目的は患者を移乗装置に載せる時、患者の胸部から腹部にかけて確実に当接し、抱きかかえると同時に、操作荷重を軽くすることにある。
【課題を解決するための手段】
【０００８】
上記課題を解決するために、１番目の発明では、ハンドルを押し下げる操作により、患者の胸部から腹部を受けて抱きかかえるパッドを、操作者側へ引き寄せると同時に、前記パッドの装着されている支柱自体をも操作者側に、下部支点を中心に回動させて近づける構造としている。
【０００９】
２番目の発明では、１番目の発明において、患者の膝から下の部分を下方から支える構造としている。
【発明の効果】
【００１０】
１〜２番目の発明によれば、患者を移乗装置に載せる時、患者の胸部から腹部にかけて確実に当接し、抱きかかえると同時に、操作荷重を軽くすることができる。
【発明を実施するための最良の形態】
【００１１】
以下、図面を参照して本発明の実施の形態について説明する。図１は装置の初期状態の側面図を示す。この状態で操作者は操作ハンドル１を押して装置を患者に近づけ、パッド２を患者の胸部から腹部にかけて当接させる。操作ハンドル１はハンドル支点ピン１８にて支柱３に回動自在に取り付けられている。またパッド２は支柱３上部のパッド移動レール１５をパッド移動ローラ下１６及びパッド移動ローラ上１７で挟んでスライド可能に保持されており、かつ操作ハンドル１と、リンク１３及びリンク１４にて連結されている。リンク１３は操作ハンドル１とリンクピン１９で、リンク１４とリンクピン２０でそれぞれ回動自在に軸支されている。リンク１４は支柱３とリンクピン２１で、パッド２とリンクピン２２でそれぞれ回動自在に軸支されている。
【００１２】
さらに操作ハンドル１は、支点支え６にリンクピン１１にて回動自在に軸支されたリンク８と、リンク７にて連結されている。リンク７は操作ハンドル１とリンクピン９で、リンク８とリンクピン１０でそれぞれ回動自在に軸支されている。リンク８は支柱３とローラガイド２３によりスライド可能に挟持された支点引き起こしローラ１２にて支柱３に当接している。
【００１３】
従って操作ハンドル１を押し下げると、操作ハンドル１はハンドル支点ピン１８を支点として回動し、リンク１３を介してリンク１４をリンクピン２１を支点として回動させ、図２に示すようにパッド２がパッド移動レール１５に沿って、操作ハンドル１側へ引き寄せられる。
【００１４】
このとき操作ハンドル１は同時に、リンク７を押し下げリンク８をリンクピン１１を支点として回動させ、リンク８に軸支された支点引き起こしローラ１２が、支柱３を操作者側へ、ベース４に固定された支柱支え６に設けられた支柱支点ピン５を支点として回動させる。
【００１５】
すなわちパッド２は、操作ハンドル１を押し下げることにより支柱３に対するスライド移動と同時に、支柱支点ピン５を支点とした支柱３の回動移動をも行う。従ってパッド２の移動量が大きく確保できる。このことによりパッドで受けていた患者を大きく操作者側へ移動することができ、患者の腰を座面から大きく浮かせることができ、装置に完全に乗せることが可能となる。
【００１６】
また、図２の状態から操作ハンドル１を上方に引き上げると前述と反対の動きとなり患者の腰を着座面側へ下降させ、座面に着座させることができる。また、操作ハンドル１を上方に引き上げた状態では図１に示すようにパッド２が支柱３に対するスライド移動及び、支柱３の支柱支点ピン５を支点とした回動移動とにより大きく患者側へ移動しており、患者の胸部から腹部にかけて確実に当接することができる。従って患者をしっかりと抱きかかえて受けることができる。
【００１７】
また、支柱支え６には膝受けガイド２５が前後方向にスライド可能に設置され、膝受けガイド２５の患者側には膝受け２４が膝受け支点ピン２６で若干の回動を許容して、左右一対装着されている。このとき膝受けは患者の膝から下の部分をおおむね下方から支える構造としている。
【００１８】
さらに、膝受けガイド２５は、位置決めピン２７により前後方向の傾斜角度を固定しているが、この位置決めピン２７のはめ込み位置を変更することで傾斜角度を調節することができる。
【図面の簡単な説明】
【００１９】
【図１】操作ハンドルを押し下げる前の装置の初期状態の側面図である。
【図２】操作ハンドルを押し下げて患者を乗せた状態の装置の側面図である。
【符号の説明】
【００２０】
１  操作ハンドル
２  パッド
３  支柱
４  ベース
５  支柱支点ピン
６  支柱支え
７  リンク
８  リンク
９  リンクピン
１０  リンクピン
１１  リンクピン
１２  支柱引き起こしローラ
１３  リンク
１４  リンク
１５  パッド移動レール
１６  パッド移動ローラ下
１７  パッド移動ローラ上
１８  ハンドル支点ピン
１９  リンクピン
２０  リンクピン
２１  リンクピン
２２  リンクピン
２３  ローラガイド
２４  膝受け
２５  膝受けガイド
２６  膝受け支点ピン
２７  位置決めピン
【図１】
2010104678.tif 000003
【図２】
2010104678.tif 000004